(57)【要約】【課題】電極群を固定する固定手段を簡素化して製造工数を低減し、信頼性に優れた高容量の扁平型二次電池を提供する。【解決手段】表面に活物質層が形成された帯形状の電極板である正極板２０及び負極板３０を有し、正極板２０と負極板３０との間にセパレータを介在させ、電解液と共に金属ケース２に内包し、平面視で所定の面積となるように正極板２０と負極板３０とを折りたたんでなる電極群１０を有する扁平型二次電池１であり、正極板２０は、端部に金属ケース２に接続する接続タブ部２１を有し、正極板２０の接続タブ部２１が折り返す折り返し部２１ａと、正極板端面２０ａと、電極群１０の側面とを覆い、正極板２０と負極板３０とが離間しないように固定する固定部材４０を設ける構成とした。【選択図】図１
2015133292.tif 000002
【特許請求の範囲】
【請求項１】
表面に活物質層が形成された帯形状の電極板である正極板及び負極板を有し、前記正極板と前記負極板との間にセパレータを介在させ、電解液と共に金属ケースに内包し、
平面視で所定の面積となるように前記正極板と前記負極板とを折りたたんでなる電極群を有する扁平型二次電池において、
前記正極板又は前記負極板は、端部に前記金属ケースに接続する接続タブ部を有し、
前記正極板又は前記負極板の前記接続タブ部が折り返す折り返し部と、前記正極板又は前記負極板の端面と、前記電極群の側面と、を覆い前記正極板と前記負極板とが離間しないように固定する固定手段を設ける
ことを特徴とする扁平型二次電池。
【請求項２】
前記電極群は、前記正極板と前記負極板とを九十九折りしてなる
ことを特徴とする請求項１に記載の扁平型二次電池。
【請求項３】
前記固定手段は１つでなり、前記接続タブ部が位置する一箇所で前記電極群を固定する
ことを特徴とする請求項１又は２に記載の扁平型二次電池。
【請求項４】
前記セパレータは、前記正極板又は前記負極板の一方を覆うことによって、前記正極板と前記負極板とを電気的に絶縁する
ことを特徴とする請求項１から３のいずれか１項に記載の扁平型二次電池。
【請求項５】
前記接続タブ部は、前記金属ケースと接触又は溶接によって電気的に接続する
ことを特徴とする請求項１から４のいずれか１項に記載の扁平型二次電池。
【発明の詳細な説明】
【技術分野】
【０００１】
本発明は、扁平型の金属ケースに折りたたみ構造の電極群を内包した扁平型二次電池に関する。
【背景技術】
【０００２】
従来、扁平型二次電池は、腕時計等の小型機器やＩＣカード等の薄型機器の電源として広く用いられている。また、近年、機器の更なる小型化薄型化、及び高機能化に伴い、扁平形二次電池の高容量化、低コスト化等の要求が高まり、この要求を満たすために、複数の電極板を積層して電極群にする技術が知られている。
【０００３】
複数の電極板を積層すると、扁平型二次電池の製造中や使用中に積層ずれを起こしてしまうことがあった。積層ずれとは、重なった電極板がずれてしまうことをいい、電極群の形が崩れてしまう場合もある。
【０００４】
このような積層ずれを起こすと、極性の異なる電極板が接触してしまい電極間が短絡してしまうという問題があった。また、電極間の対向面積も減るから、その結果充電量が減るなどの問題が起き、電池として十分機能しないこともあった。これを防止して、高容量化を実現する扁平型二次電池が提案されている（例えば、特許文献１参照。）。
【０００５】
ここで、特許文献１に示した従来技術の扁平型二次電池（コイン形二次電池）の概略構造を図８を用いて説明する。
図８において、扁平型二次電池を構成する電極群１００は、平面視で略円形の複数の負極板１０１（実線で示す）と正極板１０２（破線で示す）とが交互に積層して構成されている。
【０００６】
負極板１０１及び正極板１０２の外周は、それぞれ一対の直線部と円弧部とを有しているから、このような形状の電極板を積層すると、電極群１００の外周も同様な形状になっている。
【０００７】
そして、負極板１０１の直線部の中央からは、負極リード１０１ａが導出され、積層しているすべての負極リード１０１ａを結束して、図示しない電池容器の負極缶に接続されている。
【０００８】
一方、正極板１０２の直線部の中央からは、正極リード１０２ａが導出され、積層しているすべての正極リード１０２ａを結束して、図示しない電池容器の正極缶に接続されている。なお、正極板１０２は、図示しないセパレータで覆われ、負極板１０１と正極板１０２とを電気的に絶縁している。
【０００９】
また、電極群１００を構成する負極板１０１及び正極板１０２の一対の円弧部は、電極群１００の上端面から側面に沿って下端面に至るように貼り付けられた第１の結束テープ１０３ａ、１０３ｂによって結束されている。また、電極群１００を構成する負極板１０１及び正極板１０２の一対の直線部は、電極群１００の上端面から側面に沿って下端面に至るように貼り付けられた第２の結束テープ１０４ａ、１０４ｂによって結束されている。
【００１０】
このように、電極群１００を構成する負極板１０１及び正極板１０２の各円弧部と各直線部とが、第１の結束テープ１０３ａ、１０３ｂと第２の結束テープ１０４ａ、１０４ｂ
とにより、計四箇所に分散して結束されて固定しているので、負極板１０１と正極板１０２との積層ずれを防ぎ、積層ずれによって生じる電池容量の低下などの問題を防止することができる。
【先行技術文献】
【特許文献】
【００１１】
【特許文献１】特開２０１１―８１９４１号公報（第５頁、第１図）
【発明の概要】
【発明が解決しようとする課題】
【００１２】
しかしながら、特許文献１に示した従来技術は、負極板１０１と正極板１０２とで構成される電極群１００を４箇所の結束テープで固定しているために、結束テープの取り付け工程が複雑であり、電池の製造工数が増えてしまうという問題を有している。
【００１３】
また、結束テープが電極群１００の周囲に４箇所存在するので、結束テープのスペースを確保する必要があり、このため、平面視での負極板１０１と正極板１０２との対向面積が減少し、結果として電池容量が低下するという問題もある。
【００１４】
本発明の目的は上記課題を解決し、電極群を固定する固定手段を簡素化して製造工数を低減し、信頼性に優れた高容量の扁平型二次電池を提供することである。
【課題を解決するための手段】
【００１５】
上記課題を解決するために、本発明の扁平型二次電池は、下記記載の構成を採用する。
【００１６】
本発明の扁平型二次電池は、表面に活物質層が形成された帯形状の電極板である正極板及び負極板を有し、正極板と負極板との間にセパレータを介在させ、電解液と共に金属ケースに内包し、平面視で所定の面積となるように正極板と負極板とを折りたたんでなる電極群を有する扁平型二次電池において、正極板又は負極板は、端部に金属ケースに接続する接続タブ部を有し、正極板又は負極板の接続タブ部が折り返す折り返し部と、正極板又は負極板の端面と、電極群の側面と、を覆い正極板と負極板とが離間しないように固定する固定手段を設けることを特徴とする。
【００１７】
これにより、正極板又は負極板の接続タブ部が折り返す折り返し部と、正極板又は負極板の端面と、電極群の側面と、を覆い正極板と負極板とが離間しないように固定手段を設けているので、電極群を確実に固定できると共に、固定手段の取り付け工程を簡素化することができる。
【００１８】
接続タブ部の折り返し部に固定手段を取り付けることによって、接続タブ部の先端が電極群の端面から立ち上がり易くなるので、接続タブ部と金属ケースとの接触圧が増加して、接続タブ部と金属ケースとの電気的接続を確実にできる。
【００１９】
また、電極群は、正極板と負極板とを九十九折りしてもよい。
【００２０】
九十九折りは、正極板と負極板とが折り目で噛み合うように折りたたまれるので、電極の重ねずれが少なく、しっかり固定できるので便利である。
【００２１】
また、固定手段は１つでなり、接続タブ部が位置する一箇所で電極群を固定するようにしてもよい。
【００２２】
これにより、固定手段が１つであるので、電極群に固定手段を取り付ける取り付け工程
が容易となり、組み立て作業性に優れ、製造工数を少なくすることができる。
【００２３】
また、セパレータは、正極板又は負極板の一方を覆うことによって、正極板と負極板とを電気的に絶縁する構成としてもよい。
【００２４】
これにより、正極板と負極板を折りたたむとき、セパレータも正極板又は負極板と共に折りたたまれるので、セパレータを単独で折りたたむ工程が不要となり、製造工数を少なくすることができる。
【００２５】
また、接続タブ部は、金属ケースと接触又は溶接によって電気的に接続されるようにしてもよい。
【００２６】
接続タブ部の折り返し部に固定手段を取り付けることによって、接続タブ部の先端が電極群の端面から立ち上がり易くなるので、接続タブ部と金属ケースとの溶接も容易である。
【発明の効果】
【００２７】
本発明の扁平型二次電池によれば、積層ずれも起きず、固定手段の取り付け工程が簡素化され、二次電池の製造工数を低減させることができる。また、接続タブ部の折り返し部に、固定手段を取り付けることによって、接続タブ部の先端が電極群の端面から立ち上がり易くなるので、接続タブ部と金属ケースとの電気的接続が確実になり、信頼性に優れた扁平型二次電池を提供できる。
【図面の簡単な説明】
【００２８】
【図１】本発明の実施形態に係わる扁平型二次電池の分解斜視図である。
【図２】本発明の実施形態に係わる扁平型二次電池の正極板および負極板の展開図と断面図である。
【図３】本発明の実施形態に係わる扁平型二次電池の正極板および負極板を九十九折りした状態を説明する斜視図である。
【図４】本発明の実施形態に係わる扁平型二次電池の九十九折りした正極板と負極板とを組み合わせ、さらに固定手段によって固定した電極群の構成を説明する斜視図である。
【図５】本発明の実施形態に関わる扁平型二次電池の内部構造を説明する断面図である。
【図６】本発明の実施形態の変形例に係わる扁平型二次電池の分解斜視図である。
【図７】本発明の実施形態のさらなる変形例における電極群の構成を説明する斜視図である。
【図８】特許文献１に示した従来技術の扁平型二次電池の内部構成を説明する上面図である。
【発明を実施するための形態】
【００２９】
本発明の扁平型二次電池は、電極板を折りたたんで構成した電極群を有している。その正極板又は負極板の端部に設ける接続タブ部が折り返す部分に、固定手段を設けている点が特徴である。
【００３０】
このようにすることで、積層ずれも発生せず、また、固定手段の数を減らすこともできる。また、接続タブ部の先端が電極群の端面から立ち上がり易くなるので、接続タブ部と金属ケースとを接続し易くもなるのである。
【００３１】
扁平型二次電池の実施形態の説明にあっては、まず、正極板の一方の端部に接続タブ部
が形成される例を図１から図５を用いて説明する。また、別の実施形態として、負極板の一方の端部に接続タブ部が形成される例を図６を用いて説明する。また、別の電極群の構成を図７を用いて説明する。
【００３２】
以下図面に基づいて扁平型二次電池の具体的な実施形態を詳述する。説明に用いる図にあっては、説明に関係のない部分（例えば、電解液）などの図示は省略している。
【００３３】
［実施形態の概略構成の説明：図１］
まず、実施形態の概略構成を図１の分解斜視図を用いて説明する。
図１において、符号１は扁平型二次電池である。扁平型二次電池１は、金属ケース２を構成する正極缶３と負極缶４とを有しており、その内部に電極板を折りたたんでなる電極群１０が内包されている。
【００３４】
正極缶３は扁平の有底円筒形であり、内部は空洞である。負極缶４は円形の皿状であり、その外径は正極缶３の外径よりも小さく、正極缶３と向き合って一体となり金属ケース２が構造される。
【００３５】
つまり、正極缶３は扁平型二次電池１の正側の電極端子となり、負極缶４は負側の電源端子となる。なお、正極缶３と負極缶４との間には、絶縁材からなるガスケットで絶縁されているが、ここでの図示は省略している。
【００３６】
正極缶３及び負極缶４の材質は、導電性を有する材料であれば特に限定されず、例えばステンレス、アルミニウム、ニッケル等の金属材料、或いはステンレスにニッケルメッキを施した材料等から構成される。
【００３７】
電極群１０は、正極板２０と負極板３０とが平面視で所定の面積に折りたたんで重ねられた構成である。この図１に示す概略図では、九十九折りで折りたたまれている例を示しているが、帯形状の電極板である正極板２０及び負極板３０を重ね、双方を折りたたむ構成にしてもよいことは無論である。なお、この図では電極板間に設けるセパレータは省略している。
【００３８】
そして、正極板２０の一方の端部には、正極板２０よりも幅の狭い接続タブ部２１が形成されており、この接続タブ部２１は、折り返し部２１ａの箇所で略１８０度折り返され、正極板２０の図面上の上部の正極板端面２０ａに重なるように配置されている。
【００３９】
符号４０は、固定手段としての絶縁性の固定部材であり、略コの字形に形成された絶縁性のクリップで構成されている。
この固定部材４０は、正極板２０の端部の接続タブ部２１が折り返す折り返し部２１ａと、正極板端面２０ａと、電極群１０の側面と、を覆い正極板２０と負極板３０とが離間しないように取り付けられ固定する機能を有している。
【００４０】
すなわち、正極板２０と負極板３０とでなる電極群１０は、固定部材４０によって固定されるので、折りたためられた状態が崩れたり（従来技術における積層ずれ）、正極板２０と負極板３０の平面方向の位置がずれたりすることを防ぐことができる。
【００４１】
また、この固定部材４０が取り付けられることによって、接続タブ部２１の根元である折り返し部２１ａ付近が電極群１０の内側方向に押圧されるので、その力による反動で接続タブ部２１の先端２１ｂ付近が、電極群１０の外側方向、つまり図面上の上方向（矢印Ｄ方向）に立ち上がるようになる。これによって、接続タブ部２１と正極缶３の内側とがより強く接することができ、電気的接続が確実になるが、この電気的接続の詳細は後述す
る。
【００４２】
このように、固定部材４０によって固定され一体化された電極群１０は、正極缶３と負極缶４との内部に内包され、正極缶３と負極缶４とを図示しないガスケットを介して組み合わせて（図示しない電解液はもちろん入れる）、正極缶３の外周を内側にカシメることで扁平型二次電池１が完成する。
扁平型二次電池１の完成品としての内部構成の詳細については、後述する。なお、切断線Ａ−Ａ´についても後述する。
【００４３】
［正極板と負極板の説明：図２］
次に、電極群１０を構成する正極板２０及び負極板３０について図２を用いて説明する。
図２（ａ）は、正極板２０と負極板３０とを折りたたむ前の展開図であり、図２（ｂ）は、図２（ａ）で示す切断線Ｂ−Ｂ´と切断線Ｃ−Ｃ´とでそれぞれ切断した正極板２０及び負極板３０のそれぞれの断面図である。
【００４４】
図２（ａ）において、正極板２０及び負極板３０は、共に所定の長さと幅と厚さを有する帯形状の電極板である。例えば、扁平型二次電池を直径２０ｍｍ、厚さ３．２ｍｍのコイン型とすれば、電極板の厚さは１５０〜３５０μｍ、幅は１０ｍｍ程度、長さは５０〜６０ｍｍ程度となる。
【００４５】
正極板２０の一方の端部には、前述した接続タブ部２１が形成されている。この接続タブ部２１は、一例として図示するように正極板２０よりも幅が狭く、所定の長さを有しているが、接続タブ部２１の幅や長さは限定されず、例えば、正極板２０の幅と同等でもよく、長さも正極缶３までの距離に鑑みて自由に選ぶことができる。
【００４６】
また、正極板２０は、セパレータ２２によって覆われている。ここで、図２（ａ）では、正極板２０を覆うセパレータ２２を実線で図示し、正極板２０はセパレータ２２の内部に配置されるので破線で図示している。すなわち、セパレータ２２は袋状に形成されており、この袋状のセパレータ２２内に正極板２０が収容されている。また、接続タブ部２１は、セパレータ２２には覆われず、セパレータ２２の導出部２２ａから露出している。
【００４７】
セパレータ２２は、一例として、絶縁性に優れたポリエチレン製の微多孔性薄膜等で構成されており、リチウムイオンが透過可能になっている。
【００４８】
また、負極板３０は、図に示す例では接続タブ部を設けておらず、セパレータにも覆われていないので、図示するように、帯形状のシンプルな構成となっている。もちろん、接続タブ部を設けてもよく、その場合は正極板２０と同様な外形形状とすることもできる。
【００４９】
なお、正極板２０をセパレータ２２で覆う構成は一例であって、負極板３０を覆ってもよいことは無論である。
【００５０】
次に図２（ｂ）の断面図を用いて、正極板２０及び負極板３０の内部構造を説明する。
図２（ｂ）において、正極板２０は、例えば、アルミニウム箔製の正極集電体２３の上下両表面に、コバルト酸リチウム等の正極活物質を含有する正極活物質層２４が形成されている。なお、図示しないが、正極缶３と接する接続タブ部２１の片面は、正極活物質層２４が形成されず、その面は正極集電体２３が露出している。そして、正極板２０は、前述したように袋状のセパレータ２２で覆われている。
【００５１】
また、負極板３０は、例えば、銅箔製の負極集電体３３の上下両表面に黒鉛等の負極活
物質を含有する負極活物質層３４が形成されている。なお、図示しないが、負極缶４と接する負極板３０の端部の片側の端面は、負極活物質層３４が形成されず、その端面は負極集電体３３が露出している。
【００５２】
［正極板と負極板の説明：図３］
次に、正極板２０と負極板３０とで構成する九十九折り構造を図３を用いて説明する。
図３（ａ）は、正極板２０を図面に記載のＸ方向に折り返すように繰り返し折りたたんだ状態を示している。図３（ａ）において、図２（ａ）で示した帯形状の正極板２０を平面視で所定の面積（例えば、正極板端面２０ａの面積）となるように折りたたむことによって、略直方体の正極板２０が形成される。
【００５３】
そして、正極板２０の一方の端部に形成されている接続タブ部２１は、前述したように、折り返し部２１ａで略１８０度折り返されており、正極板端面２０ａに重なるように配置される。
【００５４】
ここでは図示しないが、前述したように、正極板２０は袋状のセパレータ２２（図２参照）によって覆われているので、正極板２０を折りたたむと、この正極板２０を覆っているセパレータ２２も正極板２０と共に折りたたまれるので、セパレータ２２を単独で折りたたむ工程が不要であり、製造工数の低減に効果がある。
【００５５】
一方、図３（ｂ）は、負極板３０を図面に記載のＹ方向に折り返すように繰り返し折りたたんだ状態を示している。図３（ｂ）において、図２（ａ）で示した帯形状の負極板３０を平面視で所定の面積となるように折りたたみ、略直方体の負極板３０が形成される。
【００５６】
正極板と負極板とを九十九折りするときは、双方の電極板は互いに直交する方向に繰り返し折りたたむ。したがって、図示はしないが、正極板２０を図中のＹ方向に折り返すように繰り返し折りたたんだとすれば、負極板３０はＸ方向に折り返すように繰り返し折りたためばよい。
【００５７】
［電極群１０の構成説明：図４］
次に、正極板２０と負極板３０とを組み合わせて九十九折りとした電極群１０の構成を図４を用いて説明する。
図４（ａ）において、電極群１０は、図３（ａ）で示したＸ方向に折り返すように繰り返し折りたたんだ正極板２０と、図３（ｂ）で示したＹ方向に折り返すように繰り返し折りたたんだ負極板３０とを組み合わせて構成されている。
【００５８】
すなわち、正極板２０と負極板３０とは、互いの折り返す方向が９０度異なっているので、互いに折り目の間に電極板を入れ込むことができ、これによって、正極板２０と負極板３０とは、厚み方向に交互に重なり合う構成となる。
【００５９】
たとえば、電極群１０の図面上の最上部は、正極板２０が配置されるが、その下部には負極板３０が配置され、さらにその下部には正極板２０が配置され、この配置が繰り返されて、電極群１０の最下部は負極板３０の負極板端面３０ａとなる。
【００６０】
正極板２０及び負極板３０の折り数は、本実施形態ではそれぞれ５回であるが、折り数は限定されない。扁平型二次電池１の蓄電量などの電気的な特性やサイズに鑑みて自由に選ぶことができる。
【００６１】
すなわち、正極板２０及び負極板３０の平面視での面積が同じであれば、折り数が多い方が正極板２０と負極板３０が重なる面積が増えるので、当然であるが電池容量を増やす
ことができる。ただし、折り数が増えれば、電極群１０の厚みが増して、金属ケース２の厚みを増やす必要があるので、折り数は電池仕様に応じて決定するとよい。
【００６２】
電極群１０の最上部の正極板２０の端部には、前述したように、接続タブ部２１が形成されている。すなわち、本実施形態では、電極群１０の図面上の最上部に正極板２０から導出される接続タブ部２１が配置されており、電極群１０の図面上の最下部に負極板端面３０ａが配置される構成である。
【００６３】
電極群１０の正極板２０と負極板３０とは、厚み方向に交互に重なり合う構成となるが、前述したように、正極板２０は袋状のセパレータ２２（図２参照）で包まれ覆われているので、正極板２０と負極板３０との間には、このセパレータ２２が介在して電気的に絶縁される。
【００６４】
このように、正極板２０と負極板３０とを九十九折りすることで、金属ケース２の狭いスペースの中で、正極板２０と負極板３０とが重なる面積を最大限に確保でき、高容量の扁平型二次電池１を実現できる。
【００６５】
上述の説明では、電極群１０は、Ｘ方向に折り返すように繰り返し折りたたんだ正極板２０とＹ方向に折り返すように繰り返し折りたたんだ負極板３０とを嵌め込むようにしてなる例を説明したが、もちろん、それに限定しない。
【００６６】
すなわち、図示はしないが、帯形状の電極板である正極板２０と負極板３０とを９０度ずらして順番に折りたたんでいくことで九十九折りの電極群１０を構成してもよい。このようにすれば、折りたたむ工程が１回で済むというメリットがある。
【００６７】
もちろん、電極板の大きさによっては、予め折り返した構成の電極板同士を嵌め込む方がよい場合もあるため、電極板のサイズや扁平型二次電池の形状に鑑みて、適宜選択すればよい。
【００６８】
次に、固定部材４０で固定された電極群１０の構成を図４（ｂ）を用いて説明する。
図４（ｂ）において、九十九折りによって略直方体に形成された電極群１０は、正極板２０の接続タブ部２１が折り返す折り返し部２１ａが位置する一辺の側面の一部を覆って、固定部材４０が取り付けられ、電極群１０を構成する正極板２０と負極板３０とが離間しないように固定されている。
【００６９】
つまり、電極群１０は、正極板２０と負極板３０とが九十九折りされているため、双方の電極板はばらけにくくなり、図示するように、固定部材４０により、電極板を平面視したときの一辺から側面を覆い、電極群の上面と下面とを押さえるように固定しているので、しっかり固定されるのである。
【００７０】
この結果、すでに説明したように電極群１０の正極板２０と負極板３０とは固定部材４０によって確実に固定されるので、折りたためられた状態が解放されて離間したり、正極板２０と負極板３０との位置がずれたりすることが防止できるのである。
【００７１】
また、固定部材４０は、１つであり、電極群１０の一辺、すなわち、正極板２０の接続タブ部２１が位置する一箇所にのみに取り付けられて固定されるので、電極群１０の組み立て作業性が容易であり、扁平型二次電池の製造工数を低減することができる。
【００７２】
［本実施形態の扁平型二次電池の内部構造の詳細説明：図５］
次に、本実施形態の扁平型二次電池の内部構造の詳細を図５を用いて説明する。
図５（ａ）は、図１で示す切断線Ａ−Ａ´で切断した金属ケース２を構成する正極缶３と負極缶４、及び電極群１０の断面図であり、図５（ｂ）は、正極缶３と負極缶４とを結合させた完成体としての扁平型二次電池１の完成断面図である。
【００７３】
図５（ａ）において、電極群１０は、前述したように、正極板２０と負極板３０が九十九折りされて組み合わされ、電極群１０の図面上の上部は、正極板２０の折り返し部２１ａを経て接続タブ部２１が形成されている。そして、電極群１０は、正極板２０の折り返し部２１ａがある側面に固定部材４０が取り付けられて固定され一体化されている。
【００７４】
接続タブ部２１の先端２１ｂにおいて、金属ケース２の正極缶３の内面３ａと対向して接する部分を上面２１ｃと称することにする。
この上面２１ｃは、図２にしめす正極活物質層２４は形成されず、正極集電体２３が露出した状態で正極缶３の内面３ａに接触するように構成される。これにより、接続タブ部２１の上面２１ｃと正極缶３の内面３ａが接触するようになっている。
【００７５】
そうすると、正極集電体２３と正極缶３の内面３ａとが直接接触するので、接続タブ部２１と正極缶３は電気的に接続されるのである。
接続タブ部２１は、固定部材４０により正極缶３の方向に立ち上がっているため、常に正極缶３の内面３ａに付勢されており、しっかり電気的に接続されている。
【００７６】
また、電極群１０の図面上の下部は、前述したように負極板３０が配置されており、その下面は負極板端面３０ａである。ここで、この負極板端面３０ａの表面は、図示しないが、前述したように負極活物質層３４は形成されず、負極集電体３３（図２参照）が露出した状態で負極缶４の底内面４ａに接する構造である。
【００７７】
そうすると、負極集電体３３と負極缶４の底内面４ａとが接触するので、負極板３０と負極缶４とは電気的に接続されるのである。
負極集電体３３と負極缶４の底内面４ａとは面接触しているため、しっかり電気的に接続されていると共に低抵抗で接続されている。
【００７８】
金属ケース２を構成する正極缶３は、電極群１０を図面上の上部から覆い、負極缶４は電極群１０の下部から覆う。双方の缶の間には、密封性と絶縁性とを有するためのガスケット５を設けてある。図５（ａ）に示す例では、ガスケット５は正極缶３に固定されており、正極缶３の周囲に合わせたリング形状を有している。
【００７９】
ガスケット５には、負極缶４の先端部４ｂを填め込むための凹部５ａを備えている。なお、負極缶４の先端部４ｂは、図示するように一例として内外二重のはぜ折りに加工してある。
【００８０】
そして、電極群１０を正極缶３と負極缶４との間に入れ、図示しない公知の手段により電解液６を注入した後、負極缶４の先端部４ｂをガスケット５の凹部５ａに填め込むようにして負極缶４を装着し、正極缶３の周縁部３ｂをカシメることにより封口され、図５（ｂ）に示すように扁平型二次電池１が完成する。
【００８１】
なお、特に限定しないが、ガスケット５の材質は、絶縁体であれば良く、例えばポリプロピレン（ＰＰ）、ポリエチレンテレフタレート（ＰＥＴ）、ポリカーボネート（ＰＣ）等の高分子材料を用いることができる。
また、電解液６の材質は、二次電池の種類に依存するが、例えばリチウムイオン二次電池であれば六フッ化リン酸リチウム（ＬｉＰＦ６）、過塩素酸リチウム（ＬｉＣｌＯ４）
、ホウフッ化リチウム（ＬｉＢＦ４）のようなリチウム塩とエチレンカーボネート（Ｅ
Ｃ）、プロピレンカーボネート（ＰＣ）のような溶媒を用いることができる。
【００８２】
このように、金属ケース２の正極缶３と負極缶４をカシメて封口することで、内部の電極群１０は正極缶３と負極缶４に挟まれて所定の力で圧縮され、電極群１０の接続タブ部２１の上面２１ｃと正極缶３の内面３ａとが密着し、接続タブ部２１と正極缶３とは、接触によって電気的に接続される。同様に、電極群１０の最下部の負極板端面３０ａと負極缶４の底内面４ａとが密着し、負極板端面３０ａと負極缶４とは、比較的広い面積による面接触によって電気的に接続される。
【００８３】
なお、図５（ｂ）に示すように、固定部材４０は、負極板端面３０ａの方向に入り込んでいるが、負極板３０は、すでに説明したようにその厚みが薄く曲るため、負極缶４の底内面４ａとの密着が妨げられることはない。
【００８４】
以上説明した例では、接続タブ部２１と正極缶３の電気的接続、及び負極板端面３０ａと負極缶４の電気的接続は、それぞれ接触によるものであった。これらの電気的接続をさらに確実にするために、その接触部分を溶接によって結合してもよい。これにより、それぞれの接続抵抗が小さくなるので、扁平型二次電池１の内部抵抗が減少し、大電流による充放電が可能な扁平型二次電池を提供できる。なお、二次電池の電極と缶との接続に溶接を用いることは公知の技術であるから、その説明は省略する。
【００８５】
［実施形態の変形例の概略構成の説明：図６］
次に、実施形態の変形例の扁平型二次電池２の概略構成を図６の分解斜視図を用いて説明する。なお、変形例の基本構成は、図１〜図５で示した実施形態と同様であるので、同一要素には同一番号を付し、重複する説明は省略する。
【００８６】
既に説明した実施形態と、図６に示す扁平型二次電池５０との違いは、正極板２０と負極板３０とを九十九折りしてなる電極群６０は、図面上の最上部の電極が負極板３０であり、この負極板３０の端部の折り返し部３１ａに接続タブ部３１が形成されている点である。
すなわち、前述の実施形態では、電極群１０の接続タブ部２１が正極板２０と一体であったが、この変形例では、接続タブ部３１は負極板３０と一体となっている。
【００８７】
電極群６０の接続タブ部３１は金属ケース２の負極缶４と接触、または、溶接によって電気的に接続される。また、電極群６０の図面上の最下部は、正極板２０の正極板端面２０ａとなり、この正極板端面２０ａと金属ケース２の正極缶３の内面３ａとが面接触、または溶接によって電気的に接続される。
【００８８】
すなわち、扁平型二次電池５０は、金属ケース２の負極缶４と電極群６０の負極板３０が接続タブ部３１を介して電気的に接続され、金属ケース２の正極缶３と電極群６０の正極板２０が面接触等によって電気的に接続される。
【００８９】
以上のように実施形態の変形例は、金属ケース２と接続する接続タブ部３１が、負極板３０側に形成されているが、１つの固定部材４０によって電極群６０が固定され、金属ケース２に内包される形態は前述の実施形態と同様であるので、その効果も同様である。
すなわち、電極群６０と金属ケース２との電気的接続が確実であり、組み立て作業性に優れ、製造工数が少なく、信頼性が高く、高容量の扁平型二次電池を提供することができる。
【００９０】
本発明の実施形態で示した斜視図、断面図等は、これに限定されるものではなく、本発明の要旨を満たすものであれば、任意に変更してよい。例えば、電極群１０、６０は、略
直方体形状に限定されず、たとえば、略円柱形でもよい。
【００９１】
また、説明した固定部材４０は、略コの字形に形成された絶縁性のクリップで構成する例を示したが、これに限定しない。図７に示すような絶縁性の粘着テープで構成した固定部材４１としてもよい。
【００９２】
図７に示す例では、この固定部材４１は、正極板２０の端部の接続タブ部２１が折り返す折り返し部２１ａと、正極板端面２０ａと、電極群１０の側面と、を覆い正極板２０と負極板３０とが離間しないように貼り付けられている。
【００９３】
この固定部材４１は、略コの字形でなくてもよい。リング状にし、電極群１０の周囲を一周するように巻くことで固定してもよい。そうするとより固定力が増して好ましい。
【産業上の利用可能性】
【００９４】
本発明の扁平型二次電池は、製造工数が少なく、信頼性に優れた高容量の扁平型二次電池を提供できるので、腕時計などの小型電子機器やＩＣカード等の小型化薄型化、および、低価格化等が要求される携帯型電子機器用の二次電池として、幅広く利用することができる。
【符号の説明】
【００９５】
１、５０  扁平型二次電池
２  金属ケース
３  正極缶
４  負極缶
５  ガスケット
６  電解液
１０、６０  電極群
２０  正極板
２０ａ  正極板端面
２１、３１  接続タブ部
２１ａ、３１ａ  折り返し部
２２  セパレータ
２３  正極集電体
２４  正極活物質層
３０  負極板
３０ａ  負極板端面
３３  負極集電体
３４  負極活物質層
４０、４１  固定部材
【図１】
2015133292.tif 000003
【図２】
2015133292.tif 000004
【図３】
2015133292.tif 000005
【図４】
2015133292.tif 000006
【図５】
2015133292.tif 000007
【図６】
2015133292.tif 000008
【図７】
2015133292.tif 000009
【図８】
2015133292.tif 000010